Podtech/llm-jp-corpus-v4-ja_patent huggingface dataset:
(57)【要約】
【課題】ブラジャーの着用時に於ける肩ひものズレを防止すると共に、粘着使用しながら肩こりや筋肉痛を和らげる、両面薬効粘着シート・テープを提供する。
【解決手段】薬効成分を配合した或は筋肉痛等の緩和材質を付着さした粘着シート（１）を両面粘着式にした。
【選択図】  図２
0003101299.tif 000002
【実用新案登録請求の範囲】
【請求項１】
薬効成分及び、材質が付着した片面お身体に粘着し片面おブラジャー肩ひもへ粘着さしてブラジャー肩ひものズレお防止する、両面薬効粘着シートテープ
【考案の詳細な説明】
【考案の詳細な説明】
この考案は、薬効成分を配合した或は筋肉痛等の緩和材質を付着さした両面粘着シートやテープを利用して、肌と衣類を粘着しそのズレを防ぐもので、とりわけブラジャー着用時に於ける肩ひものズレ防止に関するものである。
従来よりブラジャー着用時に於いて、肩ひものズレを防ぐ方法として様々な細工をブラジャー本体へ施しているが、何れの細工にしても着用感を損なったりその造形美からしても違和感があった。
本考案は、これらの課題を解消する為になされたもので、これを図面について説明すれば両面薬効粘着シートの本体（１）より保護シート（２）を剥がし本体（１）を肩ひも（３）へ粘着し、片面を肌に粘着して肩ひものズレを防ぐと共に、肩こりや筋肉痛の緩和にも本考案の、効果を求める様にした。
【図面の簡単な説明】
【図１】    本考案の分解した斜視図
【図２】    実施使用例図
【図３】    前後・左右の側面図
【符号の説明】
１  両面薬効粘着シートの本体
２  本体シートの保護シート
３  ブラジャーの肩ひも
【図１】
0003101299.tif 000003
【図２】
0003101299.tif 000004
【図３】
0003101299.tif 000005
(57)【要約】
【課題】  人形遊びにカメラ遊びを加えることができる構造を提供すること。
【解決手段】  人形体１に電子カメラ２を設けてなること。人形体１の腕部３にカメラの作動部２１に対向する操作片５が設けられていること。電子カメラ２には外部に接続する出力端子１１を具えていること。
【選択図】  図１
0003101297.tif 000002
【実用新案登録請求の範囲】
【請求項１】
下記の要件を具えたカメラ付き人形。
（イ）人形体に電子カメラを設けてなること。
（ロ）人形体の腕部にカメラの作動部に対向する操作片が設けられていること。
（ハ）電子カメラには外部に接続する出力端子を具えていること。
【請求項２】
下記の要件を具えたカメラ付き人形。
（イ）人形体にカメラ機能を具えた携帯電話を設けてなること。
（ロ）人形体の腕部に携帯電話の作動部に対向する操作片が設けられていること。
（ハ）携帯電話には外部に接続する出力端子を具えていること。
【請求項３】
下記の要件を具えたカメラ付き人形。
（イ）人形体に電子カメラを設けてなること。
（ロ）電子カメラには外部に接続する出力端子を具えていること。
（ハ）人形体は無線装置による操向装置が形成されていること。
【請求項４】
下記の要件を具えたカメラ付き人形。
（イ）人形体は独立の頭部として形成されていること。
（ロ）頭部にはカメラ機能を具えた携帯電話を設けてなること。
（ハ）電子カメラには外部に接続する出力端子を具えていること。
【考案の詳細な説明】
【考案の詳細な説明】
【技術分野】
【０００１】  本考案は、電子式カメラ付き人形に関するものである。
【背景技術】
【０００２】  従来、カメラを具えた人形玩具はなく、人形遊びとカメラ遊びは同時に行われることはなかった。
【考案が解決しようとする課題】
【０００３】  本考案は上記の点に鑑み考案されたものであって、人形遊びにカメラ遊びを加えることができる構造を提供するものである。
【課題を解決するための手段】
【０００４】  本考案のカメラ付き人形は下記の構造を具えてなるものである。（イ）人形体に電子カメラを設けてなること。（ロ）人形体の腕部にカメラの作動部に対向する操作片が設けられていること。（ハ）電子カメラには外部に接続する出力端子を具えていることである。
【０００５】  本考案のカメラ付き人形は下記の構造を具えてなるものである。（イ）人形体にカメラ機能を具えた携帯電話を設けてなること。（ロ）人形体の腕部に携帯電話の作動部に対向する操作片が設けられていること。（ハ）携帯電話には外部に接続する出力端子を具えていることである。
【０００６】  本考案のカメラ付き人形は下記の構造を具えてなるものである。（イ）人形体に電子カメラを設けてなること。（ロ）電子カメラには外部に接続する出力端子を具えていること。（ハ）人形体は無線装置による操向装置が形成されていることである。
【０００７】  本考案のカメラ付き人形は下記の構造を具えてなるものである。（イ）人形体は独立の頭部として形成されていること。（ロ）頭部にはカメラ機能を具えた携帯電話を設けてなること。（ハ）電子カメラには外部に接続する出力端子を具えていることである。
【考案を実施するための最良の形態】
【０００８】  人形体１には電子式デジタルカメラなどの電子カメラ２が設けられている。また頭部には電子カメラ２のフラッシュ２２を配置することができる。人形体１の腕部３は上下回動自在に形成されている。図３の様に腕部３の背面側には操作レバー４が突設され、この操作レバー４によって腕部３を動かすことができる。また、腕部３の内側には電子カメラ２の作動部２１対向する操作片５が設けられている。電子カメラ２には外部に接続する出力端子１１が設けられている。【０００９】  上記人形体１の左右の脚部６には駆動モータを具えた車輪７を設けることができる。この車輪７のモータに無線装置による制御装置を設けることにより、人形体１を遠隔操縦する操向装置を構成することができる。この場合、無線装置を利用して、電子カメラ２の作動部２１を操作する制御装置を設けることができる。【００１０】  上記電子カメラ２は、図４の実施例に示す様にカメラ機能を具えた携帯電話８に置き代えることができる。この場合、携帯電話８のモニタ８１は人形体１の背面側に設けるとともに、携帯電話のカメラ機能の作動部９と腕部３の操作片５が対向する様に設けることができる。【００１１】  操作レバー４を持ってこれを操作すると、腕部３を上下に動かすことができるとともに、操作片５によって電子カメラ２の作動部２１を押圧操作して写真を撮ることができる。この動きに関連して、例えば腕部３を上げたときの動作で写真撮影を行うことができる。【００１２】  上記電子カメラの外部に接続するための出力端子１１にはコード１２を接続し、同コード１２を介してパソコン１３の入力端子に接続することことができる。このパソコン１３を操作すれば、電子カメラ２で撮影された映像をダウンロードすることができ、そのディスプレイで電子カメラ２の映像の内容を確認することができる。また必要に応じてパソコン１３のプリンタを用いてプリントすることができる【００１３】  人形体は図５の様に、胴部とは別個の独立した頭部１５として形成することができる。この頭部１５はお面遊びのように、これ自体で人形遊びを行うことができる。頭部１５の底部にはピンホールカメラの様な電子カメラの他、上記と同様なカメラ機能を具えた携帯電話１６を設けることができる。また頭部１５の眼の位置に設けた開口部１７に光学的な導光手段１８を設けることによって、開口部１７通して携帯電話１６の撮影レンズに光を入れることができ、またフラッシュ装置を機能させることもできる。上記頭部１５による人形遊びのなかでカメラ遊びができる他、携帯電話１６は本来の通話機能を働かせることもできる。
【実施例】
【００１４】  本考案の実施例によると人形体の大きさは、高さ約２５ｃｍである。
【考案の効果】
【００１５】  上記の様に本考案のカメラ付き人形は人形遊びとカメラ遊びを同時に行なうことができる。人形遊びのなかで撮影された映像は、パソコンなどによって見ることができるし、プリンタを用いてプリントすることもできる。
【図面の簡単な説明】
【図１】  本考案のカメラ付き人形の斜視図である。
【図２】  本考案のカメラ付き人形の動作を示す斜視図である。
【図３】  本考案のカメラ付き人形の背面側の斜視図である。
【図４】  本考案の他の実施例を示すカメラ付き人形の背面側の斜視図である。
【図５】  本考案の他の実施例を示すカメラ付き人形の頭部の断面図である。
【符号の説明】
１  人形体
２  電子カメラ
３  腕部
４  操作レバー
５  操作片
６  脚部
７  車輪
８  携帯電話
１１  出力端子
１５  頭部
１６  携帯電話
１８  導光手段
【図１】
0003101297.tif 000003
【図２】
0003101297.tif 000004
【図３】
0003101297.tif 000005
【図４】
0003101297.tif 000006
【図５】
0003101297.tif 000007
(57)【要約】
【課題】組立、分解、移動が容易であり、且つ形状の自由度が大きい花壇を提供する。
【解決手段】囲枠（１）と該囲枠内に配設された客土（３）と該客土により植栽される植物（５）とよりなり、該囲枠は、それぞれ下端にベースプレート（７）を備えた自立性を有する複数本の支柱（９）を立設し、各支柱には上下方向の嵌合溝（１１）を備えさせ、該嵌合溝に板状体（１３）の端部（１３ａ）を嵌合することにより相対応する支柱間に板状体を固定してなり、該囲枠内に防水層（１５）を介して客土を配設したことを特徴とする花壇。前記客土は保水剤を含む。
【選択図】図１
0003101215.tif 000002
【実用新案登録請求の範囲】
【請求項１】
囲枠と該囲枠内に配設された客土と該客土により植栽される植物とよりなり、
該囲枠は、それぞれ下端にベースプレートを備えた自立性を有する複数本の支柱を立設し、各支柱には上下方向の嵌合溝を備えさせ、該嵌合溝に板状体の端部を嵌合することにより相対応する支柱間に板状体を固定してなり、
該囲枠内に防水層を介して客土を配設したことを特徴とする花壇。
【請求項２】
前記客土は保水剤を含むことを特徴とする請求項１に記載の花壇。
【考案の詳細な説明】
【技術分野】
【０００１】
本考案は花壇に関するものである。
【背景技術】
【０００２】
花壇は、一般に、レンガ、コンクリートブロック、石等を地面上に配設して所望の形状の囲枠を形成し、該囲枠内に土を投入し、該土に花等の植物を植栽することにより形成される。
【０００３】
実開平６−３８４６２号公報は、相互に嵌合するための凹部と凸部とをゴム、プラスチック等の柱状体に備えさせてなる仕切り用ブロックを開示している。実開平６−３８４６２号公報によれば、これらの仕切り用ブロックを相互に嵌合させることにより、花壇等の囲枠が形成される。
【特許文献１】実開平６−３８４６２号公報
【考案の開示】
【考案が解決しようとする課題】
【０００４】
しかしながら、レンガ、コンクリートブロック、石或いは上記仕切り用ブロックを用いて花壇の囲枠を形成することは手間のかかる面倒な作業であり、人件費が嵩むという謗りを免れ得ないものである。また、このような囲枠には形状の自由度に制約がある。更に、該囲枠は、地上に固着するものにあっては、分解、移動が困難である。一方、地上に固着しない囲枠は、土の重量に十分に耐え得るものではないため、大型花壇の形成には適さないという問題もある。
【０００５】
本考案は、従来の花壇における上述の如き問題を解決し、組立や分解が容易であり、且つ形状の自由度が大きい花壇を提供しようとしてなされたものである。
【課題を解決するための手段】
【０００６】
上記課題を解決するために、本考案は、下記の花壇を提供するものである。
【０００７】
（１）囲枠と該囲枠内に配設された客土と該客土により植栽される植物とよりなり、
該囲枠は、それぞれ下端にベースプレートを備えた自立性を有する複数本の支柱を立設し、各支柱には上下方向の嵌合溝を備えさせ、該嵌合溝に板状体の端部を嵌合することにより相対応する支柱間に板状体を固定してなり、
該囲枠内に防水層を介して客土を配設したことを特徴とする花壇（請求項１）。
【０００８】
（２）前記客土は保水剤を含む（請求項２）。
【考案の効果】
【０００９】
［請求項１の考案］
囲枠は、それぞれ下端にベースプレートを備えた自立性を有する複数本の支柱を立設し、各支柱には上下方向の嵌合溝を備えさせ、該嵌合溝に板状体の端部を嵌合することにより相対応する支柱間に板状体を固定してなるものであり、地上に固着する必要がないため、該囲枠は組立、分解、移動が容易であり、形状の自由度が大きい。また、該囲枠は、土の重量に十分に耐え得るものであるため、大型の花壇も支障なく形成することができる。客土は囲枠内に防水層を介して配設されているため、客土の水分は好ましく保持される。
【００１０】
［請求項２の考案］
囲枠内に配設された客土が保水剤を含むため、花壇は長期間にわたって水やりが不要である。
【考案を実施するための最良の形態】
【００１１】
本考案の花壇は、囲枠１と該囲枠１内に配設された客土３と該客土３により植栽される植物５とよりなる。
【００１２】
囲枠１は、それぞれ下端９ａにベースプレート７を備えた自立性を有する複数本の支柱９を立設し、各支柱９には上下方向の嵌合溝１１を備えさせ、該嵌合溝１１に板状体１３の端部１３ａを嵌合することにより相対応する支柱９、９間に板状体１３を垂直方向に固定してなるものである。囲枠１の形状は随意である。
【００１３】
支柱９は、好ましくは木製とするが、プラスチック、コンクリート、石材等により形成しても差し支えない。木製の支柱９の場合には、該支柱９に塗装等による防腐処理を施すと共に表面を焼いて好ましい外観を持たせることが望ましい。
【００１４】
図示の事例においては、円柱状の支柱９の下端９ａに円板状のベースプレート７を固定することにより、支柱９に自立性を持たせている。ベースプレート７は好ましくは金属製とする。
【００１５】
図４に示す事例においては、囲枠１内の客土３上に複数本の支柱９を立設している。
【００１６】
各支柱９には複数の嵌合溝１１を上下方向に形成する。嵌合溝１１は一例として断面略コ字状とする。各嵌合溝１１には単数又は複数の板状体１３の端部１３ａを嵌合する。図５参照。
【００１７】
板状体１３は好ましくは木製とするが、プラスチック、コンクリート、石材等により形成しても差し支えない。木製の板状体１３の場合には、該板状体１３に塗装等による防腐処理を施すと共に表面を焼いて好ましい外観を持たせることが望ましい。
【００１８】
囲枠１内に防水層１５を介して客土３を配設する。防水層１５は、一例としてビニールシートにより形成する。防水層１５は、囲枠１の各側面と底面とを被覆する。
【００１９】
客土３は土壌改良剤、肥料等を含む。
【００２０】
客土３は、好ましくは保水剤を含む。図３に示す事例においては、客土３は、パーライト中に高分子系の保水剤を含ませてなる保水層３ａを下部に備えている。
【００２１】
客土３により植栽される植物５は、花、草、木等いかなるものであってもよい。
【図面の簡単な説明】
【００２２】
【図１】本考案による花壇の一例を示す正面図である。
【図２】同上花壇の平面図である。
【図３】図２におけるＩ−Ｉ線の断面図である。
【図４】本考案による花壇の別の一例を示す断面図である。
【図５】支柱を示す斜視図である。
【符号の説明】
【００２３】
１  囲枠
３  客土
３ａ  保水層
５  植物
７  ベースプレート
９  支柱
９ａ  下端
１１  嵌合溝
１３  板状体
１３ａ  端部
１５  防水層
【図１】
0003101215.tif 000003
【図２】
0003101215.tif 000004
【図３】
0003101215.tif 000005
【図４】
0003101215.tif 000006
【図５】
0003101215.tif 000007
(57)【要約】      （修正有）【課題】電磁コイルに於いて、ボビン巻きは巻き芯に大きな機械的応力がかかり巻き芯の肉厚を十分に取らなければ成らず、結果として実質容積が小さくなる事とボビン巻きは構造上占積率が低く、高性能の電磁コイルを作る事が出来ないと言う欠点が有った。その為に性能向上はサイズアップしなければならなかった。本考案は肉厚の薄い筒型ケースに空芯整列巻きコイルを収納固定する事により、ボビン巻きの欠点を除去し小型高性能の電磁コイルを提供する。【解決手段】占積率を高くする為コイルを空芯整列に巻き、又は高密度巻きでコイルを製作し、肉厚の薄い筒型ケースに収納固定する事により高い占積率の電磁コイルが提供出来る。【選択図】図７
0003101213.tif 000002
【実用新案登録請求の範囲】
【請求項１】
電磁コイルに於いて、空芯整列巻きコイルを肉厚の薄い筒型ケースに装着、電磁力を大幅に改善した事を特徴とする電磁コイル。
【請求項２】
電磁コイルに於いて、空芯高密度巻きコイルを肉厚の薄い筒型ケースに装着、電磁力を大幅に改善した事を特徴とする電磁コイル。
【考案の詳細な説明】
【技術分野】
【０００１】
本考案は、電磁コイルに於いて、小型で強力な電磁力が得られる巻き線を実施した電磁コイルに関するものである。
【背景技術】
【０００２】
従来の電磁コイルはボビン３に巻き線８を実施している、図１はボビンの断面図,図２はボビンの立体図、ボビン巻きは高い占積率が得られないばかりか、ボビンの肉厚による巻き線の減少、又高密度巻きが出来なく、小型化高性能の電磁コイルが不可能であった。
【０００３】
しかし、一般的な用途において問題は無く、又より高性能が必要な場合もサイズアップで対応すれば実用上問題がなかった。スペースに余裕がない場合、更に小形化を必要とした場合は極めて困難であった。
【考案の開示】
【考案が解決しようとする課題】
【０００４】
問題点は、ボビン巻きは巻き芯に大きな機械的応力がかかる、図３は従来の電磁コイルの断面図、図４は従来の電磁コイル、従来のボビン巻きは巻き芯が巻き線強度に耐えるようボビンの肉厚を厚くする必要が有り、その為に巻き線数が更に減少する、従ってボビン巻きの占積率は７３〜７７％と低く、更にボビン巻きの構造状高密度巻きが出来ない、等の欠点によって高性能の電磁コイルが出来ないと言う問題を持っていた。
【課題を解決するための手段】
【０００５】
本考案は、筒型ケースに収納する為空芯整列巻きが出来る。空芯整列巻きは高い占積率８３〜８６％が得られる、又高密度巻きが可能となる。尚図５は本考案の筒型ケースの断面図、図６は本考案の筒型ケースの立体図、筒型ケースには機械的強度がかからない為肉厚を極めて薄くでき、その分巻き線回数を大幅に増加出来る事を特徴とする。
【考案の効果】
【０００６】
本考案の電磁コイルは空芯整列巻きコイル６を筒型ケース５に収納、筒型ケースはコイル収納容積がボビンより大きく、更に空芯整列巻きの占積率８３〜８６％を持った電磁コイルが出来、従来の電磁コイルに比較し大幅に巻き線が増加し強力な電磁力を発揮する電磁コイルを提供する。図７は本考案の電磁コイルの断面図、筒型ケース５にコイル固定用樹脂７を入れ、空芯整列巻きコイル６を収納。図８は本考案の電磁コイル、図４は従来の電磁コイル、本考案の電磁コイルは従来の電磁コイルに比較し１０〜３０％巻き線を多く巻くことが出来る、従って本考案の電磁コイルの電磁力は従来比２０〜６０％増加し高性能の電磁コイルが得られ、小型化、高速化が可能となる。
【考案を実施するための最良の形態】
【０００７】
同一寸法により多くの巻き線を実施する為、空芯整列巻きコイル６を筒型ケース５に収納固定をする。筒型ケースに収納したコイルはボビン巻きにしたコイルより１０〜３０％余計巻いた電磁コイルが出来る、本考案の電磁コイルは巻き線数の多い分大きな電磁力を有した電磁コイルが実現できた。
【実施例１】
【０００８】
空芯整列巻きコイル６を、固定樹脂７を入れた筒型ケース５に収納し引き出しリード１を出し、封口蓋４を取り付け固定樹脂７を硬化させる、また封口をより確実にする為封口蓋の内側、外側に半円又は方形状の切りかけを付けることにより封口蓋とケース、コイルが筒型ケースに固定でき電磁力の優れた電磁コイルが提供出来る。
【０００９】
高密度巻きしたコイルを用いれば更に強い電磁力の電磁コイルが提供出る。
【００１０】
従来の電磁コイルと本考案電磁コイルの巻き線数比較。従来品、本考案品とも同一寸法になるように設定、内径10ミリ,外形30ミリ、長さ50ミリ、とした。銅線は０．２ミリを使用し同一寸法時の巻き線数を比較、従来の電磁コイルの巻き線数は６９００回、本考案の巻き線数は８９７０回と１．３倍になり従来の電磁コイルの性能を大幅に改善出来ることが判明した。
【産業上の利用可能性】
【００１１】
空芯整列巻きコイルを筒状ケースに入れる事により、ボビン巻きに比較し大幅に巻き数を増加する事が出来高性能の電磁コイル、トランス等に活用できる。
【図面の簡単な説明】
【００１２】
【図１】ボビンの断面図。
【図２】ボビンの立体図。
【図３】従来の電磁コイルの断面図。
【図４】従来の電磁コイル。
【図５】本考案の筒型ケースの断面図。
【図６】本考案の筒型ケースの立体図。
【図７】本考案の電磁コイルの断面図
【図８】本考案の電磁コイル。
【符号の説明】
【００１３】
１    引出リード線
２    絶縁テープ
３    ボビン
４    封口蓋
５    筒型ケース
６    空芯整列巻きコイル
７    固定樹脂
８    巻き線
【図１】
0003101213.tif 000003
【図２】
0003101213.tif 000004
【図３】
0003101213.tif 000005
【図４】
0003101213.tif 000006
【図５】
0003101213.tif 000007
【図６】
0003101213.tif 000008
【図７】
0003101213.tif 000009
【図８】
0003101213.tif 000010
(57)【要約】【課題】  ディスクドライブ装置の提供。【解決手段】  ディスクの読み取りヘッド、読み取りヘッドの移動機構、ディスクの駆動モータ、駆動モータの鉄基板及び鉄基板と分離された少なくとも一つの駆動モータ制御回路とを具えている。【選択図】        図１
0003101573.tif 000002
【実用新案登録請求の範囲】
【請求項１】
ディスクの読み取りヘッド、読み取りヘッドの移動機構、ディスクの駆動モータ、駆動モータの鉄基板及び鉄基板と分離された少なくとも一つの駆動モータ制御回路とを具えたことを特徴とする、ディスクドライブ装置。
【請求項２】
請求項１記載のディスクドライブ装置において、移動機構が駆動源、第１歯車、第１ガイド、第２ガイド、第１ガイドに嵌合されたラック及び第１歯車と噛み合う第２歯車を具えたことを特徴とする、ディスクドライブ装置。
【請求項３】
請求項１記載のディスクドライブ装置において、鉄基板と駆動モータの間にバスが設けられたことを特徴とする、ディスクドライブ装置。
【請求項４】
請求項２記載のディスクドライブ装置において、駆動源がモータとされたことを特徴とする、ディスクドライブ装置。
【請求項５】
請求項１記載のディスクドライブ装置において、制御回路がプリント回路板上に設置されたことを特徴とする、ディスクドライブ装置。
【考案の詳細な説明】
【技術分野】
【０００１】
本考案は一種のディスクドライブ装置に係り、特に、ＣＤ−ＲＯＭ、ＤＶＤ−ＲＯＭ、ＲＷ、ＶＣＤ、ＤＶＤ、ＭＰ３等に使用されるディスクドライブ装置に関する。
【背景技術】
【０００２】
周知の伝統的なディスクドライブ装置は、制御基板（プリント回路板）と駆動モータが大寸法の鉄基板上に取り付けられ、ディスク装置製品の要求する精度は比較的高いため、前述の鉄基板の大面積の設計は、型製造、加工及び組立プロセスが煩瑣で困難となり、製品の不良率が高くなり、生産量が低くなり、且つ型製造コストが高く、体積が膨大で、製造と製品のコストが高くなる。
【０００３】
以上から分かるように、伝統的なディスクドライブ装置は構成或いは使用効果のいずれにおいても完全ではなく、多くの欠点と不便があり、ディスクドライブ製品の経済価値に影響を与え、また、価格アップの問題をもたらした。
【考案の開示】
【考案が解決しようとする課題】
【０００４】
本考案は、制御基板と鉄基板に独立設計を採用し、加工、組立プロセスを簡易化し、製品の歩留りを高め、加工用型の体積、製造コストを大幅に減らし、これにより製造コストと商品の価格を低くして消費者に受け入れられやすいようにする一種のディスクドライブ装置を提供することを目的としている。
【０００５】
本考案は、ディスクの読み取りヘッド、読み取りヘッドの移動機構、ディスクの駆動モータ、駆動モータの鉄基板及び鉄基板と分離された少なくとも一つの駆動モータ制御回路とを具えたものとする。
【課題を解決するための手段】
【０００６】
請求項１の考案は、ディスクの読み取りヘッド、読み取りヘッドの移動機構、ディスクの駆動モータ、駆動モータの鉄基板及び鉄基板と分離された少なくとも一つの駆動モータ制御回路とを具えたことを特徴とする、ディスクドライブ装置としている。
請求項２の考案は、請求項１記載のディスクドライブ装置において、移動機構が駆動源、第１歯車、第１ガイド、第２ガイド、第１ガイドに嵌合されたラック及び第１歯車と噛み合う第２歯車を具えたことを特徴とする、ディスクドライブ装置としている。
請求項３の考案は、請求項１記載のディスクドライブ装置において、鉄基板と駆動モータの間にバスが設けられたことを特徴とする、ディスクドライブ装置としている。
請求項４の考案は、請求項２記載のディスクドライブ装置において、駆動源がモータとされたことを特徴とする、ディスクドライブ装置としている。
請求項５の考案は、請求項１記載のディスクドライブ装置において、制御回路がプリント回路板上に設置されたことを特徴とする、ディスクドライブ装置としている。
【考案の効果】
【０００７】
本考案は、制御基板と鉄基板に独立設計を採用し、加工、組立プロセスを簡易化し、製品の歩留りを高め、加工用型の体積、製造コストを大幅に減らし、これにより製造コストと商品の価格を低くして消費者に受け入れられやすいようにする一種のディスクドライブ装置を提供している。
【考案を実施するための最良の形態】
【０００８】
図１に示されるように、本考案のディスクドライブ装置は、本体１０の上に、読み取りヘッド１、移動機構２、駆動モータ３、鉄基板４及び少なくとも一つの制御回路５が組み合わされてなる。
【０００９】
図１から図３に示されるように、本考案のディスクの読み取りヘッド１は、移動機構２により本体１０上で移動してディスクデータを読み取る。
【００１０】
図１から図３に示されるように、本考案の移動機構２は、本機構の動力の供給源である駆動源２１を具え、該駆動源２１の前端に第１歯車２１１が枢設され、移動機構２に並びに第１ガイド２２と第２ガイド２４が設けられ、第１ガイド２２にラック２３が嵌合され、ラック２３が読み取りヘッド１の一側に接続され、読み取りヘッド１の別側が第２ガイド２４に嵌合され、別にラック２３の一側が第２歯車２３１に噛み合わされ、第２歯車２３１が第１歯車２１１と噛み合わされている。
【００１１】
図１から図３に示されるように、本考案の駆動モータ３は、鉄基板４に取り付けられ、鉄基板４は本体１０の一側に設けられ、別に鉄基板４と駆動モータ３の間に信号伝送用のバス４１が設けられ、駆動モータ３を外部の信号と接続させる。
【００１２】
図１から図３に示されるように、本考案の制御回路５は本体１０の一側に取り付けられ、本考案の鉄基板４と制御回路５は独立方式で設置され、このため鉄基板４の体積を縮小でき、型製造、加工及び組立のいずれにおいてもその正確度を容易に制御でき、精度調整の作業プロセスを減らすことができ、並びにディスクに対する良好な読み取り効果を達成できる。且つ制御回路５は選択的にディスクドライブ装置の本体１０に取り付けられるか或いはディスクドライブ装置の他の場所に取り付けられる。
【００１３】
このほか、本考案の制御回路５は基板（プリント回路板）の上に設計される。
【図面の簡単な説明】
【００１４】
【図１】本考案の分解図である。
【図２】本考案の組合せ斜視図である。
【図３】本考案の平面図である。
【符号の説明】
【００１５】
１０  本体                １  読み取りヘッド
２  移動機構              ３  駆動モータ
４  鉄基板                ５  制御回路
２１  駆動源              ２２  第１ガイド
２３  ラック              ２４  第２ガイド
２１１  第１歯車          ２３１  第２歯車
４１  バス
【図１】
0003101573.tif 000003
【図２】
0003101573.tif 000004
【図３】
0003101573.tif 000005
(57)【要約】      （修正有）【課題】袋本体の一部に麻素材を使用するが、袋の内部から吸水性ポリマーが、外部に流出することがない、吸水性土のう材及び吸水性土のうを提供する。【解決手段】少なくとも吸水性、通水性の何れかの特性を有するシートにて形成され、麻材の外袋と綿材の内袋との二重袋１内に、吸水によって二重袋１内に充満する量の吸水性ポリマーの粉末２を入れた吸水性土のう材、及び、少なくとも吸水性、通水性の何れかの特性を有するシートにて形成され、麻と綿の二重袋１内に、吸水によって袋１内収納した吸水性ポリマーの粉末２に吸収させて膨張させ、二重袋1を膨らませる吸水性土のう。【選択図】図２
0003101564.tif 000002
【実用新案登録請求の範囲】
【請求項１】
少なくとも吸水性、通水性の何れかの特性を有するシートにて形成され、麻材の外袋（１ａ）と綿材の内袋（１ｂ）との二重袋（１）内に、吸水によって該二重袋（１）内に充満する量の吸水性ポリマーの粉末（２）を入れたことを特徴とする吸水性土のう材。
【請求項２】
少なくとも吸水性、通水性の何れかの特性を有するシートにて形成され、麻材の外袋（１ａ）と綿材の内袋（１ｂ）との二重袋（１）内に、吸水によって該二重袋（１）内に収納した吸水性ポリマーの粉末（２）に吸収させて膨張させ、該二重袋（１）を膨らませると共に重量を増大させたことを特徴とする吸水性土のう。
【考案の詳細な説明】
【技術分野】
【０００１】
この考案は、土砂を用いない水害防止用の吸水性土のう材、及び該土のうを作る為の吸水性土のうに関するものである。
【背景技術】
【０００２】
従来より、台風による河川の決壊等により決壊箇所をせき止めたり、水害による建物への浸水防止のために、水の侵入路に土のうを積んで水をせき止めることが行われている。      
【０００３】
そして、従来の土のうは、袋に土砂を詰め込んで形成されるが、この土のうを作るためには、土砂をストックしておく広いスペースと袋に土砂を詰め込むための多大な労力が必要である。
【０００４】
そのため、袋と、該袋内に、吸水性ポリマーを入れた土のうが開発された。この種の土のうは種々存在するが、麻素材の袋は、摩擦係数が大きく、土のうを積み上げた際には、滑りに難く安定性があった。
【０００５】
しかし、従来品の麻素材は、折り目が荒いため、その折り目の間より吸水性ポリマーが外部に流出するという恐れがあり、重量が減ることもあった。
【０００６】
さらに、吸水性ポリマーは、袋内に、さらに、小袋に挿入されているため、吸水速度が遅く、一刻を争う河川の決壊等の作業にあたっては、即効性が要求されている。
【考案の開示】
【考案が解決しようとする課題】
【０００７】
そこで、この考案は、袋本体の一部に麻素材を使用するが、袋の内部から吸水性ポリマーが、外部に流出することがない、吸水性土のう材及び吸水性土のうを開発することにある。
【０００８】
尚、この考案は、考案の名称に「土のう」という名称を用いたが、従来の土のうのように、土砂を用いておらず、しかし、使用目的が従来の土のうと殆ど同じであるために「土のう」という名称を用いたものである。
【課題を解決するための手段】
【０００９】
この考案は、少なくとも吸水性、通水性の何れかの特性を有するシートにて形成され、麻材の外袋と綿材の内袋との二重袋（１）内に、吸水によって該袋（１）内に充満する量の吸水性ポリマーの粉末（２）を入れたことを特徴とする吸水性土のう材であり、さらに、少なくとも吸水性、通水性の何れかの特性を有するシートにて形成され、麻材の外袋と綿材の内袋との二重袋（１）内に、吸水によって該二重袋（１）内に収納した吸水性ポリマーの粉末（２）に吸収させて膨張させ、該二重袋を膨らませると共に重量を増大させたことを特徴とする吸水性土のうからなるものである。
【考案の効果】
【００１０】
この考案によると、袋は、麻素材と綿素材との二重の重ね構造であるから、外部の麻素材の外袋（１ａ）は、摩擦係数が大きく、積み上げた際、滑ることなく安定性があり、内部の綿材の内袋（１ｂ）は、吸水後にゲル化により著しく体積膨張を起こすが、吸水性ポリマーは外部に流出することなく、さらに、吸水性ポリマーは、綿素材を内袋（１ｂ）に用いており、吸水性ポリマー（２）は、この内袋内に入れることにより、吸水性ポリマーが粉末の状態でも流出しない。
【００１１】
さらに、吸水性ポリマーが小袋に入っておらず、粉末のまま入れてあることにより、吸水速度が早く、迅速に土のうが形成され、被災箇所に迅速に積層できるものである。
【考案を実施するための最良の形態】
【００１２】
この考案は、少なくとも吸水性、通水性の何れかの特性を有するシートにて形成され、麻材と綿材との二重袋（１）内に、吸水によって該袋（１）内に充満する量の吸水性ポリマーの粉末（２）を入れたことを特徴とする吸水性土のう材から構成される。
【００１３】
次に、この考案の他の実施例を説明すると、少なくとも吸水性、通水性の何れかの特性を有するシートにて形成され、麻と綿の二重袋（１）内に、吸水によって該袋（１）内収納した吸水性ポリマーの粉末（２）に吸収させて膨張させ、該二重袋を膨らませると共に重量を増大させたことを特徴とする土のうから構成される。
【産業上の利用可能性】
【００１４】
この考案は、吸水性土のう材及び吸水性土のうを開発、提供するものであって、この吸水性土のう材及び吸水性土のうの製造技術よび材料の使用により、技術を確立し、かつ寄与する点で、産業上の利用可能性を有する。
【図面の簡単な説明】
【００１５】
【図１】この考案の一実施例を示す一部欠截平面図である。
【図２】この考案の一実施例を示す図１中Ａ−Ａ断面図である。
【図３】この考案の使用状態を示す断面図である。
【符号の説明】
【００１６】
１  二重袋
１ａ  外袋
１ｂ  内袋
２  吸水性ポリマーの粉末
【図１】
0003101564.tif 000003
【図２】
0003101564.tif 000004
【図３】
0003101564.tif 000005
(57)【要約】【課題】  形式的に受け渡しされている名刺に存在感を与え、容易に破棄されることなく有効利用する。広告・宣伝の効力を発揮させ、個人及び企業の営業上の効果を促進させる。【解決手段】  上記の目的を達成するため、名刺を受け取った人の境界内のスチール製品などに貼付、固定出来るように名刺の素材をマグネットシートまたはインクジェッタプリンタ用マグネットシートにする。【選択図】  図１
0003101588.tif 000002
【実用新案登録請求の範囲】
【請求項１】
素材がマグネットシートであることを特徴とする名刺。
【請求項２】
素材がインクジェットプリンタ用マグネットシートであることを特徴とする請求項１記載の名刺。
【考案の詳細な説明】
【技術分野】
【０００１】  この考案は名刺に関するものである。
【背景技術】
【０００２】  従来の名刺は写真や凝ったイラスト・柄が印刷されてあっても  その時点で必要でない限り、整理箱や引出しに収納されたままになったり、いつのまにか破棄されてしまったという傾向にあり、その結果、名刺による宣伝・広告の効果が得られないままにあるものが少なくない。付属的価値が付加されている名刺に関しても同様であると思われる。
【考案の開示】
【考案が解決しようとする課題】
【０００３】  この考案は受取人に名刺の存在をアピールし、さらに受取人の視界内に保存されることによって名刺本来の宣伝・広告の効力を発揮させ、個人や企業の受注、営業活動の効率を向上させる名刺を課題とする。
【課題を解決するための手段】
【０００４】  上記の目的を達成するためにマグネットシートの印刷面に個人名・店名・企業名・連絡項等を印刷し、名刺サイズにカットしたマグネット名刺を製作する。【０００５】  また、インクジェットプリンタ用マグネットシートを、パソコンとカラープリンターを使って製作することも可能である。
【考案の効果】
【０００６】  本考案は、マグネットの名刺というおもしろさで受け取った人にとって意外性がある。【０００７】  受け取った人は視界内の磁石が吸着する机・ロッカー・壁・冷蔵庫などの平滑面に名刺を貼付、固定し、印刷されてある個人名・店名・企業名・電話番号などの確認を容易にすることが出来る。
その結果、マグネット名刺を差し出すことにより、個人や企業の受注・営業活動の効率の向上につながる。【０００８】  たとえば、出前や修理業の名刺がロッカーや机、冷蔵庫など目に止まるところに貼付してあれば大変便利であり、チラシを配布するよりも利用されることが多く  効果が期待できる。食品や物品納入業者、修理業社、ペット関係、その他さまざまな職種に有効であると思われる。
【考案を実施するための最良の形態】
【０００９】  従来の名刺型が最良であるが、その存在をさらに印象付けるために名刺の範囲を超えない程度の多少のデザインの変更、また、貼られることを前提として受け取った人の目を引くような趣味の写真・イラスト等の印刷があっても良い。
【図面の簡単な説明】
【００１０】
【図１】「本考案の名刺を示した平面図である。」
【符号の説明】
【００１１】１  マグネット名刺
【図１】
0003101588.tif 000003
(57)【要約】【課題】従来の刺す股の機能の向上を計ったもので多機能で迅速に、複数の犯罪者の制圧にもその効果の向上を得ようとするものである。【解決手段】半円形の刺す股の先端部から左右それぞれに逆半円形、または鉤状の突起した部位を形成させる、この為、左右、前後の広範囲に迅速な対応ができるものであり、複数の犯罪者の制圧にも優位を得る、尚、刺す股の把持棒の先端部から鉄条、或いは針状の円形板などを任意の部位まで巻きつけ，又は装着させる、この為、犯罪者が刺す股の把持棒を握り振りほどくことが困難になり、犯罪者の抵抗、反撃、などにも優位を得るものである。【選択図】図１
0003101585.tif 000002
【実用新案登録請求の範囲】
【請求項１】
半円形に形成した先端部を有し、中心部に棒状の把持棒を用いた刺す股であって、その半円形の各、両先端部から任意の角度で逆半円形、或いは鉤状の部位を形成させる事を特長とする、刺す股。
【請求項２】
刺す股の把持棒の先端部から把持棒に沿って、任意の部位まで鉄条，或いは針状の円形板などを巻き付け又は装着させることを、特長とする、刺す股。
【考案の詳細な説明】
【考案の詳細な説明】
【技術分野】
【０００１】  犯罪者を取り押える為の刺す股に関するものである
【背景技術】
【０００２】  現在、色々な種類の刺す股が考案され使用されている。特許公開２００１−２８９５９３、亦２０００−２３０８００．登録実用新案第３０８６７６９号，亦第３０８３２２７号、第３０３０２８２号がある、しかし、特許公開の２件は刺す股の先端部で犯罪者を囲い込む形態であり，登録実用新案の３件は先端部には何らの機能も見られない、亦
従来、刃物などで抵抗する犯罪者に対して、長尺の丸棒あるいは半円形の刺す股などで  制圧するのが、常であつた。
【考案の開示】
【考案が解決しようとする課題】
【０００３】  従来の、丸棒の場合、犯罪者が走り回る事を止める事が困難で難しかつた。【０００４】  また、色々な従来の刺す股があるが、犯罪者が、丸棒や刺す股の把持棒を握り、安易に  振りほどき逃れることが出来る欠点がある。【０００５】  又、犯罪者の左右の動きを制止できにくい、欠点がある。【０００６】  又、複数の犯罪者を制圧する場合、左右に迅速な対応の取りにくい欠点がある。
【課題を解決する為の手段】
【０００７】  以上の如き事由から、請求項１の如く刺す又の半円形部の先端部に逆半円形の部位を、  形成させる。
【０００８】  又は、半円形の先端部から、鉤状の部位を形成させる。
【０００９】  尚、刺す股の把持棒の先端部から把持棒に沿って任意の部位まで鉄条を巻きつけて固着  する。
【０００１０】  又、刺す股の把持棒の先端部から把持棒に沿って針状の円形板を任意の部位まで装着さ  せる、固着させても可能で、空転する形態にしても可能である。
【考案の効果】
【０００１１】  以上述べた如く、刺す股の両先端に形成させた逆半円形、または鉤状の部位により、左  右どちらでも、引き倒すことが、迅速にできるものである。
【０００１２】  又、把持棒の先端部に形成させた、鉄条、針状の円形板などにより犯罪者に刺す股の、  把持棒を握られることを、妨害して犯罪者の制圧に効果を得る。
【０００１３】  又、先端部に２本の引っ掛け機能を有する為、複数の犯罪者の制圧にも迅速に多様な対  応が可能になる
【考案を実施するための最良の形態】
【０００１４】金属製のパイプを使用し、先端部に半円形の頭部を形成させ、その頭部の半円形の両先端部に逆半円形を形成させる、尚、鉤状の部位でもよい。【０００１５】又、刺す股の把持棒の先端部から上部の三分の一ぐらい迄、鉄条を巻き付け、固着させる尚、針状の円形板を装着させてもよい。
【実施例】
【０００１６】添付図面に基づいて説明する
図１は該、刺す股の平面図である。
まず、刃物などを振り回す犯罪者に対して、該、刺し股の半円形の先端部で腕、身体、などを挟み込みその動きを押しとめる、【０００１７】そして図１の２、の刺す股先端部の逆半円形、あるいは図２の４、の鉤部で犯罪者の首、袖、足、などに引っ掛け、動きを止めたり、引き倒すなどして、犯罪者を制圧する。【０００１８】図１の３は、刺す股の把持棒に装着させた鉄条であり犯罪者が把持棒を握るのを妨害するものである。【０００１９】図２の５は  刺す股の把持棒に装着させた針状の円形板であり前述と同じく犯罪者が把持棒を握るのを妨害するものである。
【産業上の利用可能性】
【０００２０】該、刺す股の多くの機能形態により、予測のつかない犯罪者の行動に的確、迅速に対応が可能になり，小人数、非力の者でも制圧できるものである。
【図面の簡単な説明】
【図１】 
【図４】 
【図７】は平面図
【図２】 
【図５】 
【図８】は正面図
【図３】 
【図６】 
【図９】は側面図
【符号の説明】
１は刺す股の半円形部位
２は刺す股の逆半円形部位
３は刺す股の把持棒の鉄条を巻いた部位
４は刺す股の鉤状部位
５は刺す股の把持棒の針状円形板部位
６は刺す股の把持棒
７はパイプのキヤップ
【図１】
0003101585.tif 000003
【図２】
0003101585.tif 000004
【図３】
0003101585.tif 000005
【図４】
0003101585.tif 000006
【図５】
0003101585.tif 000007
【図６】
0003101585.tif 000008
【図７】
0003101585.tif 000009
【図８】
0003101585.tif 000010
【図９】
0003101585.tif 000011
(57)【要約】【課題】  歯科治療での歯周病治療に於いて、歯周ポケットのプラーク除去の方法の一助として薬液洗浄は有効な方法である。そのための器具を提供する。【解決手段】歯周ポケット内を薬液で洗浄するためには、歯周ポケットに垂直にスプレイするのが効果的である。そのためにノズル先端部がノズル基部と１０５°±１０°の角度をなし、基部の長さは６５ｍｍ±１０ｍｍ、先端部は８ｍｍ±３ｍｍで噴射口の最大口径は１，２ｍｍ以内の構造の歯科用薬液スプレー・シリンジのノズルである。【選択図】  図１
0003101587.tif 000002
【実用新案登録請求の範囲】
【請求項１】
シリンジに付属して回転出来るノズルの基部（１）と先端部（２）が１０５°±１０°の角度をなす歯科用加温薬液スプレーシリンジ。
【請求項２】
請求項１のノズル基部（１）の長さは６５ｍｍ±１０ｍｍ、先端部（２）の長さは８ｍｍ±３ｍｍで、先端の噴射口の最大内径は１，２ｍｍ以内の歯科用加温薬液スプレーシリンジ。
【考案の詳細な説明】
【考案の詳細な説明】
【技術分野】
【０００１】  歯科の歯周病治療に関する器具の分野である。
【背景技術】
【０００２】  歯周病治療に於いて歯周病の原因である歯周ポケット内の歯周病菌を除くことは最も大切なことである。歯周ポケット内の老廃物及びプラークを除くためには種々な方法があるがスプレイ洗浄は非常に効果的な方法である。然し、歯周ポケット内を充分に洗浄出来るスプレイ洗浄器はない。
【考案が解決しようとする課題】
【０００３】薬液スプレイを歯周ポケット内の深部まで到達させるためには歯周ポケットのなす軸に平行にスプレイするのが最も効果的である。又スプレイが収束した方がより深部迄到達出来る。
【課題を解決すための手段】
【０００４】  歯周ポケットは歯牙側壁に存在する。歯牙の軸は咬合面とほぼ垂直な関係にあり、咬合面を連ねた咬合平面は歯周ポケットとほぼ垂直な位置的関係になる。ノズル噴射方向が歯牙側壁に沿うためには基部（１）と先端部（２）のなす角度が直角でいいことになるが、それでは基部（２）を咬合平面に沿わせなければならず操作し難く、角度をつけたほうが操作し易い。先端部（２）の長さは開口時、最後臼歯の上下間距離が１８ｍｍ〜２０ｍｍ位しかないので長すぎると動きを制約され又短かすぎるとスプレイ方向が定まらない。又ノズル先端部（２）の噴射口は広ければスプレイが収束せず散ってしまい効果が減少してしまう。
【考案を実施するための最良の形態】
【０００５】  以上のことから歯科用加温薬液スプレーシリンジの付属の回転出来る構造のノズルの基部（１）と先端部（２）のなす角度を１０５°±１０°にし、ノズル基部（１）の長さは６５ｍｍ±１０ｍｍ、先端部（２）の長さは９ｍｍ±３ｍｍとする。先端の噴射口の最大内径は１，２ｍｍ以内の構造の歯科用加温薬液スプレーシリンジである。
【考案の効果】
【０００６】  歯ブラシではとれにくいポケット内のプラークが除去されることにより歯牙の喪失を極力防げ多くの人の健康に寄与する。
【図面の簡単な説明】
【図１】スプレーシリンジの頭部の側面図
【図２】噴射口の正面図
【符号の説明】
【１】ノズルの基部
【２】ノズルの先端部
【３】ノズルの噴射口
【図１】
0003101587.tif 000003
【図２】
0003101587.tif 000004
(57)【要約】      （修正有）【課題】手足の指先まで、発熱シートにより暖める手袋と靴下。【解決手段】布製の手袋３と、発熱体内包物移動防止のキルティング加工を施した発熱シート２を貼る２点セット、さらに手袋や靴下を使用することにより極寒にも耐えられ、気軽に手に入る発熱する手袋と靴下。【選択図】図１
0003101583.tif 000002
【実用新案登録請求の範囲】
【請求項１】
発熱体が移動しないようにキルティング加工５をされた、発熱シート２（従来の使い捨てカイロや、新素材の発熱体も含む）を、安全上肌に直接触れることを避けた、布製手袋や靴下３に、粘着シートで張り付けた各２点セット、さらにその上から手袋や靴下をはめる３層構造により、手足の指先をも暖める物で、手袋用各サイズ、靴下用各サイズをもった、発熱する手袋や靴下。
【考案の詳細な説明】
【技術分野】
【０００１】  本発明は、発熱するシートを指先まで包み込んだ所にある。
【背景技術】
【０００２】  発熱体を可能な限り薄くし、キルティング加工を施し、内包物のずれを防止した。【０００３】  しかし、発熱体が肌にじかに触れることをさけ、下地の布製手袋と靴下を付けることとした。
【考案の開示】
【考案が解決しようとする課題】
【０００４】  従来、多くの冷え性の人や外で行動する人にとって、手足の冷えは深刻で、指先の先端まで暖めてくれる手袋や靴下は無く、又、分厚さを伴い行動的な物もあらず、まして手軽な価格でも手に入らないと言う問題をかかえていた。
【課題を解決するための手段】
【０００５】  本考案は、発熱シートを立体的に包み込むことに成功し、それを行動的な手足にフィットさせるため、キルティングを施し、内包物のずれを防止し、その上手足の安全性も考え、なおかつ安価に押さえることにより、より身近で便宜牲を伴った商品となった。
【考案の効果】
【０００６】  本考案の発熱する手袋と靴下により、多くの寒さ冷たさに悩んでいた人々は、最大に暖めたい手足の指先を、気軽に暖め、外で行動する人もその厳しさから解放されるでしょう。
【考案を実施するための最良の形態】
【０００７】  考案が、もっとも効果を上げるには、より柔軟で薄く強度のある発熱体の開発が待たれるものである。
【実施例１】
【０００８】  図１と図４は、本考案の手袋です。
【実施例２】
【０００９】  図７は、本考案品の靴下です。
【産業上の利用可能性】
【００１０】  極寒の地で働く漁師や、スキー場での利用、釣りの愛好家、自転車やバイクに乗らなくてはならない人、指先の仕事の人（ＣＰ関係など）様々な方面で活用されるはずです。
【図面の簡単な説明】
【００１１】
【図１】発熱する手袋の実施方法
【図２】その分解・展開図
【図３】その断面図
【図４】発熱する手袋５本指用の実施方法
【図５】その分解・展開図
【図６】その断面図
【図７】発熱する靴下の実施方法
【図８】その分解・展開図
【図９】その断面図
【符号の説明】
【００１２】１  手袋と靴下
２  発熱体シート
３  布製手袋と靴下
４  ゴムギャザー
５  キルティング加工
【図１】
0003101583.tif 000003
【図２】
0003101583.tif 000004
【図３】
0003101583.tif 000005
【図４】
0003101583.tif 000006
【図５】
0003101583.tif 000007
【図６】
0003101583.tif 000008
【図７】
0003101583.tif 000009
【図８】
0003101583.tif 000010
【図９】
0003101583.tif 000011
(57)【要約】      （修正有）【課題】産業機械の摺動面保護カバーを伸縮作動させるための連鎖装置で、その連鎖装置の作動性、耐久性を高める事。【解決手段】少なくとも２枚のプレートＰ１，Ｐ２を重ねたパンタグラフで、プレートのセンター軸穴１−Ａ、１−Ｂ及び両サイドの軸穴４の少なくとも一つの軸穴に窒化処理を施してなるブッシュを装着する構造。【選択図】図２
0003101586.tif 000002
【実用新案登録請求の範囲】
【請求項１】
産業機械の摺動面保護カバー用の互いにはめ込まれた複数のボックスからなるテレスコピックカバーのボックス間を連結する連鎖装置で、所要の長さに加工された矩形平面の金属製板材よりなるプレートに、センター部及び両サイド部にそれぞれセンター軸穴、サイド部軸穴の３つの軸穴を設けたプレートを少なくとも２枚かさね、その重ねたプレートのセンター部軸穴を貫通する金属製センターピンで係止してなる組み立て部品を複数個組み立て、そのそれぞれの重ねたプレートの先端部を交互に広げ、前記組み立て部品間の相隣り合う両先端部を重ね、その重ねたサイド部軸穴間を貫通するサイドピンで係止してなる連鎖装置において、
前記、重ね合わせたプレートの少なくとも１つの軸穴に、少なくとも内周表面に窒化処理を施してなる金属製円筒状ブッシュを装着することを特徴とする連鎖装置。
【考案の詳細な説明】
【考案の詳細な説明】
【０００１】本考案は、工作機械等の摺動部を切子や粉塵、又切削油等液体が機械内部に侵入しないように保護する目的で用いられる保護カバーのカバー間を連結する連鎖装置に関する。
【０００２】連鎖装置を用いる産業分野を代表して工作機械の摺動部保護用の互いにはめ込まれた複数のボックスよりなるテレスコピックカバーにおいて、その互いにはめ込まれたボックス間を連結して摺動をコントロールする連鎖装置に関する。その連鎖装置のプレートの軸穴と、それを貫通するピンとの間の初期或いは運転中における磨耗により生ずるクリヤランスの大きさにより連鎖装置の動きに大きな差を生ずる。テレスコピックカバーの運転により生ずる前記プレートの軸穴及びピンの磨耗により軸穴とピン径間の差が大きくなると連鎖装置の作動に遊びを生じ、がたつきやアンバランスなる動きを生ずる。
【０００３】上記、問題点を解消する目的で出願人は、出願番号実用新案・平１０−２６９８にてプレート及びピンを窒化処理することにより、耐磨耗性を付与し軸穴とピン径間のクリヤランスを一定に保つ方法を提案した。
【０００４】上記の方法は、耐磨耗性の点で非常に優れ、実用化で良好な結果が得られている。しかしながら、プレートの軸穴のみならず全面窒化処理であるため、必要以外の個所まで処理するためコスト高であった。又、窒化処理時の熱によりプレートに歪みを生ずる問題があった。
【０００５】本考案はかかる問題を解決する為、鋭意研究しプレートの軸穴に対して、窒化処理を施した円筒状ブッシュを装着し、その重ねられたブッシュを装着したるプレートの軸穴を貫通する窒化処理を施したピンを挿入する連鎖装置に関するもので、以下、プレート複数枚重ねた本連鎖装置の内、代表してプレート２枚重ねの場合の実施例を以下図面に従って説明する。
【０００６】本考案の実施例を図１、図２、図３、図４の斜視図に示す。図１の連鎖装置Ａは図中上部プレートＰ１のセンター軸穴１−Ａ及び下部プレートＰ２の軸穴１−Ｂにそれぞれブッシュ２を装着し、そのブッシュの穴Ｅに、ブッシュ対向ピン３−Ａを挿入して結合し、上部及び下部サイド軸穴４間に非ブッシュ対向ピン３−Ｂを装着したことを示す。図２の連鎖装置Ｂはプレートのセンター軸穴１−Ａ，１−Ｂ及びサイド軸穴４、即ちプレートの全軸穴にブッシュ２を装着し、それぞれ対向するブッシュ軸穴Ｅ間にブッシュ対向ピン３−Ａを装着したことを示す。図３の連鎖装置Ｃは上記、図２において、プレートのサイド軸穴４の片側列のみブッシュを装着せず、非ブッシュ対向ピン３−Ｂを装着して連結する方式を示す。
図４は、図３において上部及び下部プレートのセンターピンの軸穴１−Ａ，１−Ｂにブッシュを装着せず、非ブッシュ対向ピン３−Ｂを装着した連鎖装置Ｄを示す
【０００７】一般に、連鎖装置はその用途に応じて軸穴に生ずる応力が異なる場合がある。従って、大きな応力を受ける軸穴に、必要に応じて耐磨耗性能に優れた窒化処理を施したブッシュを装着することによりコストのバランスと連鎖装置の耐久性能を高める事を狙いとしている。以上の如くプレートの軸穴の全て又は一部に窒化処理を施したブッシュ２を装着し、その内径にマッチした、表面に窒化処理を施したブッシュ対向ピン３−Ａを装着し、ブッシュ２を装着しない軸穴には非ブッシュ対向ピン３−Ｂを対向して設ける事を特徴とする連鎖装置。
【図面の簡単な説明】
【図１】プレートのセンター軸穴に窒化処理を施したブッシュを装着した連鎖装置Ａの斜視図。
【図２】プレートの全軸穴に窒化処理を施したブッシュを装着した連鎖装置Ｂの斜視図。
【図３】プレートの一方のサイド軸穴及びセンター軸穴に窒化処理を施したブッシュを装着した連鎖装置Ｃの斜視図。
【図４】プレートの一方のサイド軸穴のみ窒化処理を施したブッシュを装着した連鎖装置Ｄの斜視図
【符号の説明】
Ａ・・・連鎖装置、Ｂ・・・連鎖装置、Ｃ・・・連鎖装置、Ｄ・・・連鎖装置、Ｐ１・・・上部プレート、Ｐ２・・・下部プレート、１−Ａ・・・上部プレートＰ１のセンター軸穴、１−Ｂ・・・下部プレートＰ２のセンター軸穴、２・・・ブッシュ、Ｅ・・・ブッシュの穴、３−Ａ・・・ブッシュ対向ピン、３−Ｂ・・・非ブッシュ対向ピン、４・・・サイド軸穴
【図１】
0003101586.tif 000003
【図２】
0003101586.tif 000004
【図３】
0003101586.tif 000005
【図４】
0003101586.tif 000006